(57)【要約】  【課題】狭いスペースに人が並び、それぞれが左右一方向のみから対象物を載置するような場所に適したドリンクホルダを提供する。  【解決手段】ドリンクホルダ１は、スライド部２１の下端側において載置部２３が左右一方へのみ回動して展開され、左右他方の人側までドリンクホルダ１の一部分が展開されることがない。そのため、隣接する人側までドリンクホルダ１の一部分が展開されて邪魔になるようなこともなく、狭いスペースに人が並び、それぞれが左右一方向のみから対象物を載置するような場所にも適している。さらに、載置部２３は、前後辺いずれにおいても枠状支持部２５を介してスライド部２１に固定することができるため、前後辺を入れ替えてスライド部２１に固定することによって、図１および図３に示すように、左右一方および他方のいずれかへと展開するドリンクホルダ１へと自在に切り替えることができる。【選択図】図１
2016094165.tif 000002
【特許請求の範囲】
【請求項１】
前面に形成された開口からつながる内部空間を有し、少なくとも前方に一定の空間が確保される位置関係で取付対象物に取り付けられるケースと、
前記ケースに対してスライドすることにより、該ケースの内部空間に収容された収容状態、および、該ケースの開口から少なくとも一部分が露出する引出状態それぞれへと切替え可能な折り畳み式のホルダー本体と、を備えたドリンクホルダであって、
前記ホルダー本体は、
前記ケースの内部空間に対してスライド可能に取付けられたスライド部と、
対象物を載置するための載置面を有する部材であり、一部領域に形成された辺状部位が、前記スライド部の下端側において前後方向に延びる軸を中心として一定の角度範囲でのみ回動可能となるように、前記スライド部に対して固定され、前記載置面を上下方向に沿わせることで前記ケースの内部空間へと収容可能な左右幅に折畳まれる折畳位置、および、前記載置面が上方を向くよう左右一方に展開させることで該載置面上に対象物を載置可能となる載置位置、のそれぞれの間を上記角度範囲として変位可能な載置部と、
少なくとも前記載置部の前後および下を枠状に取り囲んでおり、該前後に位置する領域それぞれにおいて前記載置部を回動可能に固定するとともに、前記スライド部と前記載置部との間に介在する領域において該スライド部と着脱自在に係合するための係合突起または係合孔が形成されている枠状支持部と、を有しており、
さらに、前記ホルダー本体の前記枠状支持部に、前記載置部の前側に位置する領域において、前記スライド部と前記載置部との間に介在する領域と同じ係合突起または係合孔が形成され、該係合突起または係合孔を介した前記スライド部との係合が可能とされている
ことを特徴とするドリンクホルダ。
【請求項２】
対象物を取り囲んで保持する枠状の部位を有する部材であり、一部領域に形成された辺状部位が、前記スライド部の前記載置部よりも上方において前後方向に延びる軸を中心として一定の角度範囲でのみ回動可能となるように、前記スライド部に対して固定された保持部、を有しており、
前記保持部は、前記枠状の部位に取り囲まれた枠状面を上下方向に沿わせることで前記ケースの内部空間へと収容可能な左右幅に折畳まれる折畳位置、および、前記枠状面が上方を向くよう左右一方に展開させることで前記載置面上に載置された対象物が前記枠状面を貫通する載置位置、のそれぞれの間を上記角度範囲として変位可能に構成されている
ことを特徴とする請求項１に記載のドリンクホルダ。
【発明の詳細な説明】
【技術分野】
【０００１】
本発明は、折り畳み式のドリンクホルダに関する。
【背景技術】
【０００２】
従来、ドリンクホルダとしては、ドリンクを載置して保持するためにある程度のスペースを専有することから、使用していないときにスペースを有効活用できるよう、折り畳み式に構成したものが種々実用化されている（例えば、特許文献１参照）。
【先行技術文献】
【特許文献】
【０００３】
【特許文献１】特開２０１０−１６３０６２号公報
【発明の概要】
【発明が解決しようとする課題】
【０００４】
しかし、従来のドリンクホルダは、折り畳まれた状態から使用状態へと変位させた際、その設置位置の左右両方から対象物を載置できるよう、設置位置から左右両方に展開される構成となっているため、例えば、遊技場における各遊技機の間にドリンクホルダを設置する場合のように、狭いスペースに人が並び、それぞれが左右一方向のみから対象物を載置するような場所には向いていない。隣接する人側にまでドリンクホルダの一部分が展開されてしまい、隣接する人にとって邪魔になってしまうからである。
【０００５】
本発明は、このような課題を解決するためになされたものであり、その目的は、狭いスペースに人が並び、それぞれが左右一方向のみから対象物を載置するような場所に適したドリンクホルダを提供することである。
【課題を解決するための手段】
【０００６】
上記課題を解決するため第１の構成（請求項１）は、前面に形成された開口からつながる内部空間を有し、少なくとも前方に一定の空間が確保される位置関係で取付対象物に取り付けられるケースと、前記ケースに対してスライドすることにより、該ケースの内部空間に収容された収容状態、および、該ケースの開口から少なくとも一部分が露出する引出状態それぞれへと切替え可能な折り畳み式のホルダー本体と、を備えたドリンクホルダである。
【０００７】
そして、前記ホルダー本体は、前記ケースの内部空間に対してスライド可能に取付けられたスライド部と、対象物を載置するための載置面を有する部材であり、一部領域に形成された辺状部位が、前記スライド部の下端側において前後方向に延びる軸を中心として一定の角度範囲でのみ回動可能となるように、前記スライド部に対して固定され、前記載置面を上下方向に沿わせることで前記ケースの内部空間へと収容可能な左右幅に折畳まれる折畳位置、および、前記載置面が上方を向くよう左右一方に展開させることで該載置面上に対象物を載置可能となる載置位置、のそれぞれの間を上記角度範囲として変位可能な載置部と、少なくとも前記載置部の前後および下を枠状に取り囲んでおり、該前後に位置する領域それぞれにおいて前記載置部を回動可能に固定するとともに、前記スライド部と前記載置部との間に介在する領域において該スライド部と着脱自在に係合するための係合突起または係合孔が形成されている枠状支持部と、を有しており、さらに、前記ホルダー本体の前記枠状支持部に、前記載置部の前側に位置する領域において、前記スライド部と前記載置部との間に介在する領域と同じ係合突起または係合孔が形成され、該係合突起または係合孔を介した前記スライド部との係合が可能とされている。
【０００８】
このように構成されたドリンクホルダであれば、スライド部の下端側において載置部が左右一方へのみ回動して展開され、左右他方の人側までドリンクホルダの一部分が展開されることがない。そのため、隣接する人側までドリンクホルダの一部分が展開されて邪魔になるようなこともなく、狭いスペースに人が並び、それぞれが左右一方向のみから対象物を載置するような場所にも適したものとなっている。
【０００９】
さらに、載置部は、前後いずれの側においても枠状支持部を介してスライド部に固定することができるため、前後端を入れ替えてスライド部に固定することによって、左右一方および他方のいずれかへと展開するドリンクホルダへと自在に切り替えることができる。
【００１０】
また、この構成は、以下に示す第２の構成（請求項２）のようにするとよい。
この構成において、対象物を取り囲んで保持する枠状の部位を有する部材であり、一部領域に形成された辺状部位が、前記スライド部の前記載置部よりも上方において前後方向に延びる軸を中心として一定の角度範囲でのみ回動可能となるように、前記スライド部に対して固定された保持部、を有している。
【００１１】
そして、前記保持部は、前記枠状の部位に取り囲まれた枠状面を上下方向に沿わせることで前記ケースの内部空間へと収容可能な左右幅に折畳まれる折畳位置、および、前記枠状面が上方を向くよう左右一方に展開させることで前記載置面上に載置された対象物が前記枠状面を貫通する載置位置、のそれぞれの間を上記角度範囲として変位可能に構成されている。
【００１２】
このような構成のドリンクホルダであれば、載置部に載置した対象物が脱落しないよう、これを保持部により好適に保持することができる。
【図面の簡単な説明】
【００１３】
【図１】ドリンクホルダの全体構成を示す斜視図（右へ展開する取付方法）
【図２】ドリンクホルダの分解状態を示す斜視図
【図３】ドリンクホルダの全体構成を示す斜視図（左へ展開する取付方法）
【発明を実施するための形態】
【００１４】
以下に本発明の実施形態を図面と共に説明する。
（１）全体構成
ドリンクホルダ１は、図１、図２に示すように、前面に形成された開口１１からつながる内部空間１３を有し、少なくとも前方に一定の空間が確保される位置関係で取付対象物に取り付けられるケース１０と、ケース１０に対してスライドすることにより、ケース１０の内部空間に収容された収容状態、および、ケース１０の開口１１から少なくとも一部分が露出する引出状態それぞれへと切替え可能な折り畳み式のホルダー本体２０と、を備えている。
【００１５】
ホルダー本体２０は、ケース１０の内部空間１３に対してスライド可能に取付けられたスライド部２１と、スライド部２１に対して回動可能に固定されており対象物を載置するための載置面１１０を有する載置部２３と、少なくとも載置部２３の前後および下を枠状に取り囲む枠状支持部２５と、スライド部２１に対して同じく回動可能に固定されており  対象物を取り囲んで保持する枠状の部位を有する保持部２７と、ホルダー本体２０の前端に設けられた取っ手部２９と、を有している。
【００１６】
これらのうち、載置部２３は、一部領域に形成された辺状部位１２０が、スライド部２１の下端側において前後方向に延びる軸を中心として一定の角度範囲でのみ回動可能となるよう、スライド部２１に対して固定されている。そして、この載置部２３は、載置面１１０を上下方向に沿わせることでケース１０の内部空間１３へと収容可能な左右幅に折畳まれる折畳位置、および、載置面１１０が上方を向くよう左右一方に展開させることで該載置面１１０上に対象物を載置可能となる載置位置、のそれぞれの間を上記角度範囲として変位可能な構成となっている。
【００１７】
また、枠状支持部２５は、載置部２３の前後それぞれに位置する領域において載置部２０を回動可能に固定するとともに、スライド部２１と載置部２３との間に介在する領域において係合孔１３０が形成されており、この係合孔１３０がスライド部２１側に形成された係合片１４０と係合することにより、このスライド部２１と着脱自在に係合できるように構成されている。なお、この係合孔１３０と係合片１４０とは、それぞれが枠状支持部２５およびスライド部２１に形成されて係合可能となっていれば、どちらに形成されていてもよい。
【００１８】
また、この枠状支持部２５には、載置部２３の前側に位置する領域において、スライド部２１と載置部２３との間に介在する領域と同じ係合孔１３０が形成されており、これがスライド部２１側の係合片１４０と係合することも可能な構成となっている。
【００１９】
また、保持部２７は、一部領域に形成された辺状部位１５０が、スライド部２１の載置部２３よりも上方において前後方向に延びる軸を中心として一定の角度範囲でのみ回動可能となるよう、スライド部２１に対して固定されている。そして、この保持部２７は、枠状の部位に取り囲まれた枠状面１６０を上下方向に沿わせることでケース１０の内部空間１３へと収容可能な左右幅に折畳まれる折畳位置、および、枠状面１６０が上方を向くよう左右一方に展開させることで載置面１１０上に載置された対象物が枠状面１６０を貫通する載置位置、のそれぞれの間を上記角度範囲として変位可能な構成となっている。
【００２０】
また、取っ手部２９は、その後面にスライド部２１と同じ係合片１４０が形成されており、これが枠状支持部２５側の係合孔１３０と係合することが可能な構成となっている。
（２）作用，効果
このように構成されたドリンクホルダ１であれば、スライド部２１の下端側において載置部２３が左右一方へのみ回動して展開され、左右他方の人側までドリンクホルダ１の一部分が展開されることがない。そのため、隣接する人側までドリンクホルダ１の一部分が展開されて邪魔になってしまうようなこともなく、狭いスペースに人が並び、それぞれが左右一方向のみから対象物を載置するような場所にも適している。
【００２１】
さらに、載置部２３は、前後端いずれにおいても枠状支持部２５を介してスライド部２１に固定することができるため、前後辺を入れ替えてスライド部２１に固定することによって（図２（ａ）⇒（ｂ））、図１および図３に示すように、左右一方および他方のいずれかへと展開するドリンクホルダ１へと自在に切り替えることができる。
【００２２】
また、上記構成のドリンクホルダ１であれば、載置部２３に載置した対象物が脱落しないよう、これを保持部２７により好適に保持することができる。
【符号の説明】
【００２３】
１…ドリンクホルダ、１０…ケース、１１…開口、１３…内部空間、２０…ホルダー本体、２０…載置部、２１…スライド部、２３…載置部、２５…枠状支持部、２７…保持部、２９…取っ手部、１１０…載置面、１２０…辺状部位、１３０…係合孔、１４０…係合片、１５０…辺状部位、１６０…枠状面。
【図１】
2016094165.tif 000003
【図２】
2016094165.tif 000004
【図３】
2016094165.tif 000005